(57)【要約】【課題】  カードを有効利用しながら、生産性を向上させ得るゲーム機用カートリッジを提案する。【解決手段】  カートリッジケースの表面に１又は複数のカードが取り付けられたゲーム機用カートリッジにおいて、それぞれカートリッジケースと別体に形成され、それぞれカートリッジケースの表面の所定位置に両端部を固定するようにして、カートリッジケースに取り付けられたリング形状の複数の係合部材を備え、各カードは、各係合部材にそれぞれ対応させてカードの一側縁に沿って形成された複数の係合孔にそれぞれ対応する係合部材を通すようにして、カートリッジケースに取り付けるようにした。【選択図】        図４
2006285888.tif 000002
【特許請求の範囲】
【請求項１】
複数のシートがシート収納部に収納されたカートリッジケースと、前記カートリッジケースに組み込まれ、前記シートの各面における２次元位置座標値に関連付けて情報が格納された記憶媒体と、を備え、前記カートリッジが電子装置本体に装着された際に、前記シートの２次元座標位置を指定すると、この位置に関連つけた情報が前記電子装置本体で処理され、その処理結果がユーザに告知されるように構成された電子装置用カートリッジにおいて、
前記収納部は、両端に係合部を備えたクリップと、前記係合部に係止され、前記カートリッジケースの前記シート収容部に形成された被係合部とを備えて構成され、
前記カートリッジケースに前記シートを収容する前に前記係合部と被係合部との間に形成される開放部に前記シートの貫通孔を挿入し、その後前記係合部と被係合部とを係止させると、当該開放部が閉塞され、当該係合部と被係合部によって前記シートが脱落しないように固定されてなる、電子装置用カートリッジ。
【発明の詳細な説明】
【技術分野】
【０００１】
本発明は、電子装置用カートリッジに関し、例えば子供向けの遊戯装置としての電子装置に用いられるカートリッジに適用して好適なものである。
【背景技術】
【０００２】
従来、この種のカートリッジとして、合成樹脂材からなるカートリッジケースの表面に、そのカートリッジが提供するゲームに応じた文字やキャラクタなどが印刷された複数枚のカードが取り付けられたものがある（特許文献１参照）。
【０００３】
図７は、このようなカートリッジの構成例を示すものである。このカートリッジにおいて、カートリッジケース２は、映像データや音声データ及び制御プログラム等のゲームデータが記録されたメモリ（図示せず）をカートリッジの下端の膨張部（２−１）に内蔵しており、その下端部に設けられたコネクタ２Ａを介してゲーム機本体部と物理的及び電気的に接続し得るようになされている。
【０００４】
カートリッジケース２の表面であるカード収容部における幅方向の一端側には、最終ページのカード３Ｘ以外の各カード３を保持するリング部２Ｂが等間隔に３つ設けられている。各リング２Ｂ部は、図８に示すように、全体としてほぼ逆「Ｕ」字状の外観形状を有し、カートリッジケース２の幅方向の一端側に近い側の根元部がカートリッジケース２と一体に形成され、これと逆側の根元部がカートリッジケース２の表面と隙間αを介して対向するようにカートリッジケース２から離反されて形成されている。この隙間αの大きさは、カード３の１枚分の厚みよりも大きく形成され、この離反部からカードを挿入して、カードの貫通孔にリング部を挿入できるようになる一方で、カード３の２枚分の厚みよりも小さく選定されている。
【０００５】
また最終ページのカード３Ｘ以外の各カード３には、図９に示すように、かかるカートリッジケース２の各リング部２Ｂにそれぞれ対応させて、幅方向の一端側に合計３つの係合孔(貫通孔)３Ａが穿設されている。そして、これら各カード３は、各係合孔３Ａにカートリッジケース２の対応するリング部２Ｂをそれぞれ通すようにして、カートリッジケース２に取り付けられている。これによりカートリッジ１においては、これらカード３をめくるようにして全ページを開くことができるようになされている。このため各カード３の幅方向の他端側には、そのカード３をめくる際の手掛りとなるように、当該カード３の幅方向の他端側に突出する手掛り部３Ｂがそれぞれ異なる位置に設けられている。
【０００６】
これに対して最終ページのカード３Ｘには、図１０に示すように、他のカード３のように係合孔３Ａ（図９）が形成されておらず、手掛り部３Ｂ（図９）も設けられていない。そしてこのカード３Ｘは、幅方向の一端側をカートリッジケース２の各リング部２Ｂの隙間α内に位置させた状態でカートリッジケース２の表面に貼着されている。これによりカートリッジ１においては、この最終ページのカード３Ｘによってカートリッジケース２の各リング部２Ｂの隙間αから最終ページ以前のカード３がリング部２Ｂから外れて抜け落ちるのを有効に防止し得るようになされている。最終ページ以前の全カードをリング部２Ｂに挿入した後、最終ページのカードをαの隙間からリング部内に差し入れ、その裏面をカートリッジケースに接着するようにしている。
【０００７】
記憶媒体としてのメモリには、前記カードの各面における２次元位置座標値に関連付けて情報が格納されている。カートリッジが電子装置本体に装着された際に、カードの２次言座標を図示しない位置決めピンで指定すると、電子装置本体側ではその座標位置を検出して、この位置に関連つけた情報が記子装置本体で処理され、その処理結果がユーザに告知されるようになっている。
【特許文献１】実開平７−４０７０号公報
【発明の開示】
【発明が解決しようとする課題】
【０００８】
ところがかかる構成のカートリッジ１においては、上述のようにリング部２Ｂからカード３が外れて抜け落ちるのを防止する目的で最終ページのカード３Ｘがカートリッジケース２に貼着されるために、当該カード３Ｘのカートリッジケース２に貼着される側の面を利用できないという問題があった。
【０００９】
また、かかる構成のカートリッジ１においては、製造時、カートリッジケース２の各リング部２Ｂの隙間αを通してカード３を１枚ずつ各リング部２Ｂに嵌めてゆく作業が必要となり、生産性が悪い問題があった。
【００１０】
本発明は以上の点を考慮してなされたもので、全カードの表及び裏面とも有効利用しながら、生産性を向上させ得る電子装置用カートリッジを提案しようとするものである。
【課題を解決するための手段】
【００１１】
かかる課題を解決するため本発明は、  複数のシートがシート収納部に収納されたカートリッジケースと、前記カートリッジケースに組み込まれ、前記シートの各面における２次元位置座標値に関連付けて情報が格納された記憶媒体と、を備え、前記カートリッジが電子装置本体に装着された際に、前記シートの２次元座標位置を指定すると、この位置に関連つけた情報が前記電子装置本体で処理され、その処理結果がユーザに告知されるように構成された電子装置用カートリッジにおいて、前記収納部は、両端に係合部を備えたクリップと、前記係合部に係止され、前記カートリッジケースの前記シート収容部に形成された被係合部とを備えて構成され、前記カートリッジケースに前記シートを収容する前に前記係合部と被係合部との間に形成される開放部に前記シートの貫通孔を挿入し、その後前記係合部と被係合部とを係止させると、当該開放部が閉塞され、当該係合部と被係合部によって前記シートが脱落しないように固定されてなる、ことを特徴とするものである。。
【００１２】
この結果、このゲーム機用カートリッジでは、係合部からのカード離脱防止のために最終ページのカードをカートリッジケースに貼着する必要がなく、すべてのカードの両面をゲームのために有効利用することができる。また生産時において、すべてのカードを一括してカートリッジケースに取り付けることができる。
【発明の効果】
【００１３】
本発明によれば、カードを有効利用しながら、生産性を向上させ得るゲーム機用カートリッジを実現できる。
【発明を実施するための最良の形態】
【００１４】
以下図面について、本発明の一実施の形態を詳述する。
（１）本実施の形態による電子装置(幼児用電子装置)の構成
図１において、１０は全体として本実施の形態による、幼児或いは児童用電子装置(遊戯装置或いは教育装置など)を示し、この電子装置は、前後一対のケース部からなり、これらケースが開閉自在になるように構成されている。一対のケースの一方を便宜上、以下本体部１１といい、他方を蓋部１２という。電子制御用の制御基板が本体部及び／又は蓋部に取り付けられている。
【００１５】
本体部１１は、全体として面取りされコーナが丸みを帯びた方形状に形成されており、その前面側に本体側に装着されて、電子情報処理用のアプリケーションプログラムを提供するカートリッジ１３を着脱自在（交換自在）に装着することができるようになされている。
【００１６】
また、本体部１１の前面左右両側にはそれぞれ細長形状の凹部１１Ａが設けられており、これら凹部１１Ａ内にポインティングデバイスとしてのペン１４が取出し自在に収納されている。このペン１４は、カートリッジ１３に取り付けられた後述のカード２１における所望位置を指定するときなどに用いられる。なお、ここでカードとは本願発明のシートに対応するものである。
【００１７】
さらに本体部１１の側面側には、図示しないビデオ出力端子及びオーディオ出力端子が設けられている。そして、この情報処理装置１０では、これらビデオ出力端子及びオーディオ出力端子をそれぞれケーブルを介して図示しないテビジョン受像機のビデオ入力端子又はオーディオ入力端子に接続することによって、電子処理結果に対応する映像をテレビジョン受像機に表示させたり、電子処理結果の音声を出力させることができるようになされている。
【００１８】
また、本体部には情報処理ユニットであるメモリ及び演算装置を内蔵し、テレビジョン受像機に接続されなくても、内蔵スピーカを介して処理結果をユーザに告知することができるし、さらに、情報処理装置１０自体に表示部が存在する場合には、情報処理結果をこの表示部に表示することができる。
【００１９】
蓋部１２は、ゲーム機本体部１１と同様に丸みを帯びた方形状に形成されており、その内側中央部にパッド部１５が設けられている。このパッド部１５は、例えばタッチセンサ等から構成されるものであり、例えば、電子処理が「お絵かきモード」時になっているときに、このパッド部１５上にペン１４を用いて絵や文字等を描くことによって、これらの絵や文字等をテレビジョン受像機に表示させることができるようになされている。
【００２０】
また蓋部１２におけるパッド部１５の左右両側には、それぞれ円形状ボタン１７及び十字ボタン１８がそれぞれ設けられており、これら左右両側の円形状ボタン１７や十字ボタン１８を用いて二人の遊戯者が同時にゲームを行い得るようになされている。
【００２１】
図２及び図３は、本実施の形態によるカートリッジ１３の構成を示すものである。図２はカートリッジ１３の正面を示し、図３はカートリッジ１３の背面を示している。これら図２及び図３からも明らかなように、カートリッジ１３は、合成樹脂材からなるカートリッジケース２０の表面側に複数枚のカード２１が取り付けられて構成されている。
【００２２】
カートリッジケース２０には、そのカートリッジ１３が提供するゲームの映像音声データや他の制御データ等のゲームデータやアプリケーションプログラムが格納されたメモリ（図示せず）がカートリッジケース内に収納されている。またカートリッジケース２０の背面側には、電子装置本体部１１のカートリッジ収納面側に臨むように設けられた雌型コネクタ（本体側コネクタ）に対応させて、雄型コネクタ２２（カートリッジ側コネクタ）が設けられており、かくしてカートリッジ２０をゲーム機本体部１１に装着したときに、カートリッジ２０の雌型コネクタ２２及びゲーム機本体部１１の雌型コネクタが物理的及び電気的に接続されて、ゲーム機本体部１１内の処理ユニットがカートリッジ２０のメモリからゲームデータやプルグラムを読み出すことができるようになされている。カートリッジ側コネクタの一端はカートリッジ内のメモリに接続されている。本体側コネクタの一端は本体側の処理ユニットに固定されている。したがって、これらコネクタを接続することにより、カートリッジ内のメモリを本体側の処理ユニットに接続することができる。
【００２３】
またカートリッジケース２０には、幅方向の一端側における上端近傍及び下端近傍には、半リング形状(円弧状或いは環状であるともいえる)のクリップ２０Ａがそれぞれ設けられている。これらクリップ２０Ａは、図４及び図５に示すように、両端部にそれぞれ所定形状の爪部２３Ａが設けられたほぼ半円形状の係合部材２３と、当該係合部材２３の各爪部２３Ａにそれぞれ対応させてカートリッジケース２０に突出形成された一対の被係合部２０ＡＸとから構成される。また被係合部２０ＡＸの周囲には、カード２１の位置決め用にも成り得、且つ爪部を被係合孔に挿入した状態で係合部２３を固定して支持する突起部(ボス部)２０ＡＹがコ字状に突出形成されている。そして各係合部材２３は、それぞれ各爪部２３Ａをカートリッジケース２０の被係合部に形成された孔に挿入して係止することにより、係合部の両端の係止部(固定部)を被係合部に固定することができる。爪部２３を被係合部に挿入する前は、両者間に図４に示すような開放が形成されているが、爪部２３を被係合部に係止すると、両者間の開放は閉鎖(即ち開放部が消滅)して、爪部２３が被係合部に固定される。
【００２４】
一方、各カード２１は、例えば樹脂材を用いて形成されており、それぞれその表面及び裏面の両面に、そのカートリッジ１３が提供するゲームの内容に応じた文字やキャラクタ等が印刷されている。カートリッジ内のメモリには、カードの２次元座標に対応する情報及びこの情報を電子装置側で処理できるプログラムが記憶されている。カードの面の２次元座標は、カートリッジを電子装置に装着した際に、位置決め用のペン型の入力装置を使って、カードの表面を指定することにより、特定可能である。この特定情報は電子装置本体の処理回路に送られ、処理回路本体はこの情報とカートリッジのメモリ中のアプリケーションプログラムに基づいて、情報処理を行い、この結果をユーザに告知する。
【００２５】
またカード２１の幅方向の一端側には、図６に示すように、かかるカートリッジケース２０の各クリップ部２０Ａにそれぞれ対応させて、当該クリップ部２０の突起部２０ＡＹよりも僅かに大きい係合孔２１Ａが上端近傍及び下端近傍にそれぞれ穿設されている。
【００２６】
そしてこれら各カード２１は、図４及び図５のように、これら係合孔２１Ａにカートリッジケース２の対応するリング部２０Ａをそれぞれ通すようにして、カートリッジケース２０に取り付けられており、これによりこれらカード２１を順次めくるようにして全ページを開くことができるようになされている。このため各カード２１の幅方向の他端側には、当該カード２１の幅方向の他端側に突出する手掛り部２１Ｂ(図１参照)がそれぞれ異なる位置に設けられており、かくしてこの手掛り部を手掛りとしてそのカード２１を用意に順番にめくることができるようになされている。
【００２７】
以上の構成において、本実施の形態によるカートリッジは、カートリッジケース２０の各リング部の係合部材がカートリッジケースに固定されていない状態で、各カードの係合孔をそれぞれカートリッジケースの対応する突起部２０ＡＹに嵌め合わせるようにしてカードを位置決めした状態でカートリッジケース上に載置し、この後係合部材をカートリッジケースに固定するようにしてカードをカートリッジケースに取り付ける。
【００２８】
従って、このカートリッジは、すべてのカードを一括してカートリッジケースに取り付けることができるため、簡易に製造することができる。またこのカートリッジでは、最終ページのカードをカートリッジケースに貼着する必要がないため、すべてのカードの表面及び裏面をゲームのために利用することができる。
【００２９】
以上の構成によれば、カートリッジケースのリング部をカートリッジケースとは別体に設けられた係合部材を用いて形成するようにしたことにより、製造を容易化すると共にすべてのカードを児童の遊戯や教育のために利用できるようにすることができ、かくしてカードを有効利用しながら、生産性を向上させ得るカートリッジを実現できる。
（２）他の実施の形態
なお上述の実施の形態においては、カートリッジケースのクリップ部を構成する係合部材を半円形状とするようにした場合について述べたが、本発明はこれに限らず、例えば弓形状とするようにしても良く、この他種々の形状を広く適用することができる。
【００３０】
また上述の実施の形態においては、カートリッジケースのクリップ部を構成する係合部材の両端部にそれぞれ爪部を設けると共に、カートリッジケースの対応する部位にそれぞれ爪部を設け、係合部材の各爪部をカートリッジケースの対応する爪部にそれぞれ係合させるようにして、係合部材をカートリッジケースに固着できるようにした場合について述べたが、本発明はこれに限らず、例えば係合部材をカートリッジケースにねじを用いて固着するようにしても良く、係合部材の固定方法としてはこの他種々の固定方法を広く適用することができる。
【産業上の利用可能性】
【００３１】
本発明は、子供用の遊戯或いは教育用電子情報処理装置のカートリッジのほか、種々の電子装置用カートリッジに広く適用することができる。
【図面の簡単な説明】
【００３２】
【図１】本実施の形態による電子情報処理装置の構成を示す斜視図である。
【図２】本実施の形態によるカートリッジの構成を示す３面図である。
【図３】本実施の形態によるカートリッジの背面構成を示す背面図である。
【図４】カートリッジケースのクリップ部の構成を示す分解斜視図である。
【図５】カートリッジケースのクリップ部の構成を示す断面図である。
【図６】本実施の形態によるカートリッジのカードの構成を示す平面図である。
【図７】従来の電子情報処理装置で用いられるカートリッジの構成を示す斜視図である。
【図８】従来カートリッジに取り付けられるカードの構成を示す平面図である。
【図９】従来のカートリッジに取り付けられるカードの構成を示す平面図である。
【図１０】従来のカートリッジにおけるクリップ部の構成を示す断面図である。
【符号の説明】
【００３３】
１０……電子情報処理装置、１１……電子情報処理装置本体部、１２……蓋部、１３……カートリッジ、１４……位置決め入力用ペン、２０……カートリッジケース、２０Ａ……クリップ部、２０ＡＸ……爪部、２１ＡＹ……壁部、２１……カード、２１Ａ……係合孔、２３……係合部材、２３Ａ……爪部。
【図１】
2006285888.tif 000003
【図２】
2006285888.tif 000004
【図３】
2006285888.tif 000005
【図４】
2006285888.tif 000006
【図５】
2006285888.tif 000007
【図６】
2006285888.tif 000008
【図７】
2006285888.tif 000009
【図８】
2006285888.tif 000010
【図９】
2006285888.tif 000011
【図１０】
2006285888.tif 000012